(57)【要約】      （修正有）【課題】通常時はバックとして普通に使用でき、非常時には防災頭巾として使用することができる防災頭巾兼用バッグを提供する。【解決手段】本体がクッション性を有する生地で作られ、底面が略矩形状であり、底面の両端近傍にスナップが設けられる。非常時には、ユーザは防災頭巾兼用バッグ１の底面１０１を上にし、雌スナップ１５ａと雄スナップ１５ｂ及び雌スナップ１５ｄと雄スナップ１５ｃを係合させて、底面１０１を外側に折り畳む。外ポケット１３が正面（顔側）に位置するように被り、側面１０２に取り付けられた把持部１１をあごにかけることで、頭部が保護され、内ポケット１２が後頭部に沿って垂れ下がり、後頭部も保護できる。【選択図】図５
0003175569.tif 000002
【実用新案登録請求の範囲】
【請求項１】
クッション性を有する生地で生成されたバッグ本体であって、底面が略矩形形状に形成され、上端に開口部が形成されたバッグ本体と、
前記バッグ本体の対向する２つの側面にそれぞれ設けられた把持部と、
前記底面の両端近傍に設けられ、前記底面を外側に折り曲げた状態で保持する保持部と、を備え、
前記保持部により前記底面が外側に折り曲げられた状態で保持され、前記バッグ本体が前記開口部から頭部に装着されると防災頭巾としての使用状態となることを特徴とする防災頭巾兼用バッグ。
【請求項２】
請求項１に記載の防災頭巾兼用バッグであって、
前記把持部の長さ調整用の面ファスナー又はスナップボタンを備えたことを特徴とする防災頭巾兼用バッグ。
【請求項３】
請求項１又は２のいずれかに記載の防災頭巾兼用バッグであって、
前記バック本体の前記把持部が設けられた側面のうちの少なくとも一方には、バッグとしての使用状態においては前記バック本体の内側に収納され、前記防災頭巾としての使用状態においては前記バック本体の外側に露出するポケットが設けられることを特徴とする防災頭巾兼用バッグ。
【請求項４】
請求項１から３のいずれかに記載の防災頭巾兼用バッグであって、
前記バック本体の側面には、前記バック本体の上部を外側に折り曲げ可能とする切欠きが前記開口部と一体形成されたことを特徴とする防災頭巾兼用バッグ。
【考案の詳細な説明】
【技術分野】
【０００１】
本考案は、防災頭巾兼用バッグに関する。
【背景技術】
【０００２】
特許文献１には、バッグを広げるとシートとなり、バッグの折りたたみ方を変えると防災頭巾となるバッグ兼用防災頭巾及びシートが開示されている。
【０００３】
特許文献２には、婦人用トートバッグの内側に着脱式のサブザックが内蔵されており、非常時にはサブザックを背負い、空のトートバッグ本体を頭にかぶって簡易ヘルメットとして使用する簡易ヘルメット兼用防災バッグが開示されている。
【先行技術文献】
【特許文献】
【０００４】
【特許文献１】実用新案登録３０１６２８９号公報
【特許文献２】実用新案登録３１２３６１４号公報
【考案の概要】
【考案が解決しようとする課題】
【０００５】
しかしながら、特許文献１に記載の考案では、バックとしての使用状態から防災頭巾としての使用状態にするには、一度バックをシート状に展開しなければならないため、手間がかかるという問題がある。
【０００６】
また、特許文献２に記載の考案では、バッグ本体側部にスリット窓が形成されているため、スリット窓からバックの中身が見えてしまう。そのため、バックとしての通常の使用に支障をきたす可能性がある。
【０００７】
本考案はこのような事情に鑑みてなされたもので、より簡単な方法で、通常時はバックとして普通に使用でき、非常時には防災頭巾として使用することができる防災頭巾兼用バッグを提供することを目的とする。
【課題を解決するための手段】
【０００８】
上記課題を解決するために、本考案に係る防災頭巾兼用バッグは、例えば、クッション性を有する生地で生成されたバッグ本体であって、底面が略矩形形状に形成され、上端に開口部が形成されたバッグ本体と、前記バッグ本体の対向する２つの側面にそれぞれ設けられた把持部と、前記底面の両端近傍に設けられ、前記底面を外側に折り曲げた状態で保持する保持部と、を備え、前記保持部により前記底面が外側に折り曲げられた状態で保持され、前記バッグ本体が前記開口部から頭部に装着されると防災頭巾としての使用状態となることを特徴とする。
【０００９】
また、本考案は、前記把持部の長さ調整用の前記把持部の長さ調整用の面ファスナー又はスナップボタンを備えていてもよい。
【００１０】
また、本考案は、前記バック本体の前記把持部が設けられた側面のうちの少なくとも一方には、バッグとしての使用状態においては前記バック本体の内側に収納され、前記防災頭巾としての使用状態においては前記バック本体の外側に露出するポケットが設けられていてもよい。
【００１１】
また、本考案は、前記バック本体の側面には、前記バック本体の上部を外側に折り曲げ可能とする切欠きが前記開口部と一体形成されていてもよい。
【考案の効果】
【００１２】
本考案によれば、より簡単な方法で、通常時はバックとして普通に使用でき、非常時には防災頭巾として使用することができる。
【図面の簡単な説明】
【００１３】
【図１】本考案の一例である第１の実施形態に係る防災頭巾兼用バッグ１の斜視図であり、通常時のバッグとしての使用状態を示す。
【図２】防災頭巾兼用バッグ１の要部断面図であり、（Ａ）は伸長状態、（Ｂ）は折り畳み状態を示す。
【図３】防災頭巾兼用バッグ１の底面図である。
【図４】防災頭巾兼用バッグ１の変形例に係る防災頭巾兼用バッグ１’、１’’の底面図であり、（Ａ）は第１の変形例に係る防災頭巾兼用バッグ１’の底面図、（Ｂ）は第２の変形例に係る防災頭巾兼用バッグ１’’の底面図である。
【図５】防災頭巾兼用バッグ１の斜視図であり、防災頭巾としての使用状態を説明する図である。
【図６】防災頭巾兼用バッグ１の斜視図であり、防災頭巾としての使用状態を示す図である。
【図７】防災頭巾兼用バッグ１の防災頭巾として使用状態を示す図であり、（Ａ）は正面図、（Ｂ）は側面図である。
【図８】本考案の一例である第２の実施形態に係る防災頭巾兼用バッグ２の斜視図であり、通常使用時の使用状態を示す。
【図９】防災頭巾兼用バッグ２の要部拡大図であり、（Ａ）はバッグ本体、（Ｂ）は把持部を示す。
【考案を実施するための形態】
【００１４】
以下、本考案の実施形態を、図面を参照して詳細に説明する。
【００１５】
＜第１の実施形態＞
図１は、本考案の一例である第１の実施形態に係る防災頭巾兼用バッグ１の正面斜視図である。図１に示すように、防災頭巾兼用バッグ１は、主として、バッグ本体１０と、把持部１１と、内ポケット１２と、外ポケット１３とを有している。
【００１６】
バッグ本体１０は、保冷、保温機能を有するように、発泡ポリエチレン等の断熱効果のある材質で形成された中心層を、アルミニウム等のシートにより挟んだ３層構造の可撓性のある生地で形成される。
【００１７】
バッグ本体１０は、略矩形形状の底面１０１を有し、底面１０１の各辺にはそれぞれ側面１０２、１０３、１０４、１０５が取り付けられている。底面１０１の前側の辺には側面１０２が取り付けられ、底面１０１の後側の辺には側面１０３が取り付けられ、底面１０１の左側の辺には側面１０４が取り付けられ、底面１０１の右側の辺には側面１０５が取り付けられる。図１では、底面１０１が長方形となっているが、正方形でもよい。
【００１８】
側面１０２は側面１０４、１０５に取り付けられ、側面１０３は側面１０４、１０５に取り付けられることで、バッグ本体１０は、上端部に開口部１０６を有する袋状に形成される。
【００１９】
側面１０４、１０５には、開口部１０６と一体形成された切欠き１０７が設けられる。また、側面１０４、１０５には、折り目が形成され、バッグ本体１０が折り畳めるようになっている。
【００２０】
開口部１０６及び切欠き１０７には、図示しない線ファスナー（一般的にはジッパー、チャックとも呼ばれている）が取り付けられる。線ファスナーの開閉に応じて開口部１０６及び切欠き１０７が開閉され、開口部１０６及び切欠き１０７を閉じることで、バッグ本体１０の保冷効果を上げることができる。
【００２１】
把持部１１は、綿等の布で形成された可撓性を有する細長い板状の部材であり、側面１０２、１０３にそれぞれ取り付けられる。把持部１１は、両端が底面１０１近傍に取り付けられ、略中央をユーザが把持することで防災頭巾兼用バッグ１を持ち運べるようになっている。図１においては、２本の把持部１１が側面１０２、１０３にそれぞれ取り付けられるが、１本の板状の部材を側面１０２、底面１０１、側面１０３とつなげて取り付けて把持部としてもよい。
【００２２】
図２は図１の一点鎖線で囲まれた領域Ｘの断面図であり、（Ａ）は把持部１１が伸長された状態、（Ｂ）は把持部１１が折り畳まれた状態を示す。図２に示すように、把持部１１の両端から一定の長さの第１把持部１１ａは、バッグ本体１０と一体とされている。以下、バッグ本体１０と一体となるように取り付けられた部分を第１把持部１１ａといい、把持部１１の第１把持部１１ａ以外の部分を第２把持部１１ｂという。
【００２３】
把持部１１の表側（バッグ本体１０の反対側）には、第１把持部１１ａ及び第２把持部１１ｂの２か所に、面ファスナー１４（一般的にはマジックテープ（商標）とも呼ばれている）がそれぞれ取り付けられている。第１把持部１１ａにはフック面１４ａが取り付けられ、第２把持部１１ｂにはループ面１４ｂが取り付けられている。なお、面ファスナー１４の取り付けはこれに限られず、第１把持部１１ａにループ面１４ｂを取り付け、第２把持部１１ｂにフック面１４ａを取り付けてもよい。
【００２４】
フック面１４ａ及びループ面１４ｂは、貼り付けたりはがしたりすることが可能である。フック面１４ａとループ面１４ｂとがはがれた場合は、図２（Ａ）に示すように、把持部１１が伸長される。フック面１４ａとループ面１４ｂとが貼り付けられた場合は、図２（Ｂ）に示すように、把持部１１が折り畳まれる。これにより、把持部１１の長さが調整される。すなわち面ファスナー１４は、把持部１１の長さ調整機構として機能する。
【００２５】
なお、本実施形態では、フック面１４ａ及びループ面１４ｂをそれぞれ１個ずつ取り付けたが、フック面１４ａ及びループ面１４ｂを複数取り付けるようにしてもよい。これにより、長さ調整をより柔軟に行うことができる。
【００２６】
内ポケット１２は、側面１０３の内側の上端近傍に一辺が取り付けられた略矩形形状の袋状の部材である。内ポケット１２はメッシュ状の薄い生地で生成され、内ポケット１２に保冷剤を入れることでバッグ本体１０内部を冷やすことができる。
【００２７】
外ポケット１３は、内ポケット１２が設けられた側面１０３に対向する側面１０２の外側に設けられ、通常バックとして使用する場合にのみ使用される。
【００２８】
図３は、バッグ本体１０の底面図である。底面１０１には、雌スナップ及び雄スナップからなるスナップボタンが４隅近傍に取り付けられる。雌スナップ１５ａと雌スナップ１５ｄが第１の対角線上に位置し、雄スナップ１５ｂと雄スナップ１５ｃが第２の対角線上に位置する。雌スナップ１５ａは、雄スナップ１５ｂ又は雄スナップ１５ｃに係合可能であり、雌スナップ１５ｄは、雄スナップ１５ｂ又は雄スナップ１５ｃに係合可能である。
【００２９】
雌スナップ１５ａと雄スナップ１５ｂを係合させ、雌スナップ１５ｄと雄スナップ１５ｃを係合させると、底面１０１を長辺で半分に折り曲げるように底面１０１を外側に折り曲げた状態で保持可能である。また、雌スナップ１５ａと雄スナップ１５ｃを係合させ、雌スナップ１５ｄと雄スナップ１５ｂを係合させると、底面１０１を短辺で半分に折り曲げるように底面１０１を外側に折り曲げた状態で保持可能である。すなわち、スナップボタンは、底面１０１が外側に折り曲げられた状態で保持する保持部として機能する。
【００３０】
なお、保持部はこの形態に限られない。例えば、図４（Ａ）に示すように、雌スナップ１５ａと雄スナップ１５ｂのみを底面１０１の両端近傍に取り付けてもよい。また、図４（Ｂ）に示すように、底面１０１の両端近傍に、面ファスナーのフック面１６ａ及びループ面１６ｂを取り付けてもよい。
【００３１】
このように構成された防災頭巾兼用バッグ１は、通常時には、図１に示すように、ユーザが第２把持部１１ｂを把持し、開口部１０６からバッグ本体１０の内部に物を入れて、バッグとして使用される。保冷機能をより確保したい場合には、内ポケット１２に保冷剤を入れることができる。
【００３２】
非常時には、図５に示すように、防災頭巾兼用バッグ１を通常時とは反対に、すなわち底面１０１が上に来るようにし、雌スナップ１５ａと雄スナップ１５ｂを係合させ、雌スナップ１５ｄと雄スナップ１５ｃを係合させる。その結果、図６に示すように、底面１０１が外側に折り畳まれ、側面１０４、１０５が底面１０１を覆い、バッグ本体１０の底部には複数枚の布が重なった状態となる。
【００３３】
さらに、図６に示すように、バッグ本体１０の上部を任意の位置で外側に折り曲げて、バッグ本体１０の深さを調整する。バッグ本体１０の上部が外側に折り曲げられると、開口部１０６は外側に露出し、新たに開口部１０６’が形成される。図６では、切欠き１０７の底部の位置でバッグ本体１０が折り曲げられているが、折り曲げ位置は任意である。切欠き１０７が形成されているため、バッグ本体１０の上部を容易に折り曲げることができる。
【００３４】
図６に示す状態でユーザが防災頭巾兼用バッグ１を頭にかぶることにより、防災頭巾兼用バッグ１が防災頭巾として使用される。図７は、防災頭巾兼用バッグ１が防災頭巾として使用された状態を示す図であり、（Ａ）は正面図、（Ｂ）は側面図である。
【００３５】
ユーザは、外ポケット１３が正面（顔側）に位置するように防災頭巾兼用バッグ１を保持し、開口部１０６又は開口部１０６’から防災頭巾兼用バッグ１を頭から被る。面ファスナー１４を用いて把持部１１の長さを調整し、側面１０２に取り付けられた把持部１１をあごにかける。
【００３６】
バッグ本体１０の底部に複数毎の布が重なっているため、頭部の保護効果を高くすることができる。また、把持部１１があごにかかるため、防災頭巾兼用バッグ１が風等で飛ばされることもない。
【００３７】
また、図５に示すように防災頭巾兼用バッグ１を底面１０１が上に来るようにすると、内ポケット１２が外側に垂れ下がる。内ポケット１２は、外ポケット１３が設けられた側面１０２と対抗する側面１０３に設けられているため、図７（Ｂ）に示すように、内ポケット１２は後頭部に沿って垂れ下がる。内ポケット１２に緩衝剤等を入れることで、後頭部の保護も同時に可能となる。
【００３８】
本実施形態によれば、防災頭巾兼用バッグ１を、通常時はバックとして普通に使用でき、非常時には防災頭巾として使用することができる。
【００３９】
なお、本実施形態では、面ファスナー１４を用いて把持部１１の長さを調整したが、把持部１１の長さ調整は必須ではない。把持部１１の長さを、標準的な体形の大人が防災頭巾兼用バッグ１を防災頭巾として使用した時に、ちょうどあごにかかる長さとなるようにしてもよい。また、把持部１１の一部に伸縮部（図示せず）を形成し、必要に応じて長さが調整できるようにしてもよい。
【００４０】
また、本実施形態では、スナップボタンを用いて底面１０１の長辺を折り畳むように底面１０１を外側に折り曲げた状態で保持したが、バッグ本体１０の底部に布が重なるのであれば、例えば底面１０１を短辺で半分に折り曲げるように底面１０１を外側に折り曲げた状態で保持してもよい。
【００４１】
また、本実施の形態では、図７に示す防災頭巾としての使用状態において、把持部１１を１本のみあごにかけることを示したが、伸長状態における把持部１１の長さをさらに長くし、把持部１１を２本ともあごにかけるようにしてもよい。さらに、図７においては、側面１０２を前に向けて使用しているが、側面１０２を横に向けて使用してもよい。この場合には、把持部１１をまとめる部材（図示せず）を設け、この部材を用いて把持部１１をあごの下でまとめることで、把持部１１をあごにかけるようにしてもよい。
【００４２】
また、本実施の形態では、発泡ポリエチレン等で形成された中心層を、アルミニウム等のシートにより挟んだ３層構造の可撓性のある生地を用いてバッグ本体１０を形成したが、バッグ本体１０の材質はこれに限られない。例えば、表地と裏地の間に薄い綿等の中芯を入れ、重ねた状態で指し縫いしたキルティングと呼ばれる３層構造の生地や、フェルト等を用いてもよい。すなわち、クッション性を有する素材であれば、どのような素材を用いてもよい。
【００４３】
また、本実施の形態では、防災頭巾としての使用状態においては、（１）底面１０１の折り曲げ、及び（２）バッグ本体１０の上部の折り曲げを行ったが、（１）のみを行った場合においても防災頭巾として使用することができるし、（２）のみを行った場合においても防災頭巾として使用することができる。（１）を行った場合に、ユーザの頭部がバッグ本体１０より大きい場合には、（１）を行わず、（２）のみでユーザの頭部に合うように調整してもよい。また、（１）を行った場合に、バッグ本体１０の大きさがユーザの頭部に合う場合には、（２）を行わなくてもよい。
【００４４】
＜第２の実施形態＞
本考案の一例である第２の実施形態は、把持部の形態及び長さ調整機構が異なる形態である。以下、第２の実施形態に係る防災頭巾兼用バッグ２について説明する。なお、第１の実施形態と同一の部分については同一の符号を付し、説明を省略する。
【００４５】
バッグ本体１０には、可撓性を有する板状の取付部２１が一体となるように取り付けられる。取付部２１は、側面１０２、１０３のそれぞれに２本ずつ取り付けられる。
【００４６】
把持部２２は、取付部２１と同様に可撓性を有する板状の部材であり、取付部２１に取り付けられると、バッグ本体１０と一体化される。
【００４７】
図９は、図８の一点鎖線で囲まれた領域Ｙの断面図であり、（Ａ）は取付部２１を示し、（Ｂ）は把持部２２を示す。
【００４８】
取付部２１には、雌スナップ２３が３個取り付けられ、把持部２２には雄スナップ２４が３個取り付けられる。所望の雌スナップ２３に所望の雄スナップ２４を係合させることで、取付部２１に把持部２２が取り付けられる。雌スナップ２３と雄スナップ２４の係合位置を変えることで把持部２２の取り付け長さを調整することができる。すなわち、雌スナップ２３、雄スナップ２４は調整機構として機能する。
本実施形態によれば、把持部が折り畳まれることがないため、防災頭巾兼用バッグの外観をよくすることができる。
【００４９】
以上、この考案の実施形態を、図面を参照して詳述してきたが、具体的な構成はこの実施形態に限られるものではなく、この考案の要旨を逸脱しない範囲の設計変更等も含まれる。
【符号の説明】
【００５０】
１：防災頭巾兼用バッグ、２：防災頭巾兼用バッグ、１０：バッグ本体、１１：把持部、１１ａ：第１把持部、１１ｂ：第２把持部、１２：内ポケット、１３：外ポケット、１４：面ファスナー、１４ａ：フック面、１４ｂ：ループ面、１５ａ：雌スナップ、１５ｂ：雄スナップ、１５ｃ：雄スナップ、１５ｄ：雌スナップ、１６ａ：フック面、１６ｂ：ループ面、２１：取付部、２２：把持部、２３：雌スナップ、２４：雄スナップ、１０１：底面、１０２：側面、１０３：側面、１０４：側面、１０５：側面、１０６：開口部、１０７：切欠き
【図１】
0003175569.tif 000003
【図２】
0003175569.tif 000004
【図３】
0003175569.tif 000005
【図４】
0003175569.tif 000006
【図５】
0003175569.tif 000007
【図６】
0003175569.tif 000008
【図７】
0003175569.tif 000009
【図８】
0003175569.tif 000010
【図９】
0003175569.tif 000011